(57)【要約】      （修正有）【課題】地震で目地部が狭くなるように揺れ動いた場合に、目地カバーがスムーズに折りたたむように移動し、大きな風圧が加わっても、目地カバーが必要以上に曲がったりするのを効率よく阻止することができる壁用目地カバー装置を提供する。【解決手段】左右の建物の壁面間の一方の建物３の外壁躯体に一端部が回動可能に取付けられ、かつ目地部が狭くなると折りたたみできる目地カバー６と、この目地カバーの先端部に一端部が枢支され、他端部が一方の建物に固定されたガイドレール８に移動可能に取付けられた支持アーム９と、この支持アームのほぼ中央部に一端部が枢支され、他端部が外壁躯体に枢支された支承アーム１２と、支持アームの他端部を目地カバーがほぼ直線状態となるように付勢する支持アーム付勢機構１５と、目地部が狭くなると該目地カバーの中央部を前方へ突出させることができる目地カバー保持機構２２とで壁用目地カバー装置１を構成している。【選択図】図２
2011017131.tif 000002
【特許請求の範囲】
【請求項１】
目地部を介して建てられた左右の建物の壁面間の目地部を覆うように位置する一方の建物の外壁躯体に一端部がほぼ水平方向に回動可能に取付けられ、かつ目地部が狭くなるとほぼ中央部の枢支部が前方へ突出するように折りたたみできる中央部がわずかに前方へ突出する目地カバーと、この目地カバーの先端部に一端部が枢支され、他端部が前記一方の建物の目地部側外壁面にほぼ水平方向に位置するように固定されたガイドレールに沿って移動可能に取付けられた支持アームと、この支持アームのほぼ中央部に一端部が枢支され、他端部が前記目地カバーの一端部が取付けられた部位近傍の外壁躯体に枢支された支承アームと、前記支持アームの他端部を前記目地カバーがほぼ直線状態となるように付勢する支持アーム付勢機構と、前記目地カバーの中央部がわずかに前方へ突出するように保持でき、かつ目地部が狭くなると該目地カバーの中央部を前方へ突出させることができる目地カバー保持機構とからなることを特徴とする壁用目地カバー装置。
【請求項２】
目地カバー保持機構は支承アームの他端部寄りの部位に一端部が枢支され、他端部が前記目地カバーの躯体取付側パネルのほぼ中央部に当接するストッパーアーム、このストッパーアームを常時前記目地カバーの躯体取付側パネルに当接させ、該目地カバーの中央部がわずかに前方へ突出するように保持するストッパー紐および、このストッパー紐を常時伸長するように付勢する一端部が前記ストッパーアームに接続され、他端部が前記支持アームに取付けられたストッパーアーム付勢機構とからなる目地カバー支持機構とからなることを特徴とする請求項１記載の壁用目地カバー装置。
【請求項３】
目地カバー保持機構は目地カバーの中央部がわずかに前方へ突出するように取付ける取け手段と、目地カバーの中央部寄りの部位を常時内側方向へ付勢する付勢機構とからなることを特徴とする請求項１記載の壁用目地カバー装置。
【請求項４】
支持アームの他端部にアームを介してガイドレールにスライド移動可能なローラーが設けられるとともに、支承アームの他端部は前記支持アームのアームとほぼ同じ寸法のアームを介して外壁躯体に固定されていることを特徴とする請求項１記載の壁用目地カバー装置。
【発明の詳細な説明】
【技術分野】
【０００１】
本発明は目地部を介して建てられた左右の建物の外壁間の目地部を覆う壁用目地カバー装置に関する。
【背景技術】
【０００２】
従来、目地部を介して建てられた左右の建物の目地部に位置する一方の建物の躯体に回動可能に取付けられた目地部が狭くなると折りたたみできるようにほぼ中央部で枢支された目地部を覆う目地カバーと、この目地カバーを該目地カバーで前記目地部を覆う位置に常時位置させる目地カバー保持機構と、前記左右の建物の目地部が狭くなるように地震等によって揺れ動いた場合に、前記目地カバーを折りたたみながら回動させるリンクを用いた目地カバー回動機構とからなる壁面用目地カバー装置が考えられている。
【０００３】
しかしながら、目地カバーに風圧が加わると、折りたたみできるように枢支されている部位の中央部に大きな圧力が加わり、損傷しやすいとともに、中央部が内側へ回動した状態となると折りたためなくなり、動作不良や目地カバーを損傷させるという欠点があった。
【先行技術文献】
【特許文献】
【０００４】
【特許文献１】特許第３１５４９６３
【発明の概要】
【発明が解決しようとする課題】
【０００５】
本発明は以上のような従来の欠点に鑑み、地震で目地部が狭くなるように揺れ動いた場合に、目地カバーがスムーズに折りたたむように移動することができるとともに、目地カバーに大きな風圧が加わっても、目地カバーが必要以上に曲がったりするのを効率よく阻止することができる壁用目地カバー装置を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は目地部を介して建てられた左右の建物の壁面間の目地部を覆うように位置する一方の建物の外壁躯体に一端部がほぼ水平方向に回動可能に取付けられ、かつ目地部が狭くなるとほぼ中央部の枢支部が前方へ突出するように折りたたみできる中央部がわずかに前方へ突出する目地カバーと、この目地カバーの先端部に一端部が枢支され、他端部が前記一方の建物の目地部側外壁面にほぼ水平方向に位置するように固定されたガイドレールに沿って移動可能に取付けられた支持アームと、この支持アームのほぼ中央部に一端部が枢支され、他端部が前記目地カバーの一端部が取付けられた部位近傍の外壁躯体に枢支された支承アームと、前記支持アームの他端部を前記目地カバーがほぼ直線状態となるように付勢する支持アーム付勢機構と、前記目地カバーの中央部がわずかに前方へ突出するように保持でき、かつ目地部が狭くなると該目地カバーの中央部を前方へ突出させることができる目地カバー保持機構とで壁用目地カバー装置を構成している。
【発明の効果】
【０００９】
以上の説明から明らかなように、本発明にあっては次に列挙する効果が得られる。
（１）左右の建物の壁面間の目地部を覆うように位置する一方の建物の外壁躯体に一端部がほぼ水平方向に回動可能に取付けられ、かつ目地部が狭くなるとほぼ中央部の枢支部が前方へ突出するように折りたたみできる中央部がわずかに前方へ突出する目地カバーと、この目地カバーの先端部に一端部が枢支され、他端部が前記一方の建物の目地部側外壁面にほぼ水平方向に位置するように固定されたガイドレールに沿って移動可能に取付けられた支持アームと、この支持アームのほぼ中央部に一端部が枢支され、他端部が前記目地カバーの一端部が取付けられた部位近傍の外壁躯体に枢支された支承アームと、前記支持アームの他端部を前記目地カバーがほぼ直線状態となるように付勢する支持アーム付勢機構と、前記目地カバーの中央部がわずかに前方へ突出するように保持でき、かつ目地部が狭くなると該目地カバーの中央部を前方へ突出させることができる目地カバー保持機構とで構成されているので、目地カバー保持機構によって目地カバーに風圧が加わっても、目地カバーのほぼ中央部がわずかに前方へ突出する状態を保持することができる。
したがって、目地カバーが直線状態となったり、ほぼ中央部の枢支部が内側へ位置することなく、確実に目地カバーの折りたたみを行なえる状態を保つことができ、長期間目的の動作が可能な状態を保つことができる。
（２）前記（１）によって、目地部の寸法よりもわずかに小さな目地カバーを使用することができ、取付けが容易で、安価に設置することができるとともに、支持アーム、支承アームおよび支持アーム付勢機構を用いているので、左右の建物が異なる左右方向に揺れ動いた場合の目地部間に位置する幅寸法を小さくすることができ、左右の建物が異なる前後方向に揺れ動いた状態で目地部が狭くなるような揺れ動きが生じても、目地カバーを確実に折りたたみ、ガタ付きを防止し、かつ損傷を効率よく防止することができる。
（３）請求項２、３も前記（１）、（２）と同様な効果が得られる。
（４）請求項４も前記（１）、（２）と同様な効果が得られるとともに、支持アームを一方の建物の外壁躯体と平行になるように、移動可能に位置させることができる。
【００１０】
したがって、目地部が狭くなる場合に、最小幅となるようにたたむことができる。
【図面の簡単な説明】
【００１１】
【図１】本発明を実施するための第１の形態の正面図。
【図２】図1の２−２線に沿う断面図。
【図３】図1の３−３線に沿う断面図。
【図４】本発明を実施するための第１の形態の目地カバーの説明図。
【図５】本発明を実施するための第１の形態の支持アームの説明図。
【図６】本発明を実施するための第１の形態の目地部が狭くなった動作説明図。
【図７】本発明を実施するための第１の形態の目地部が広くなった動作説明図。
【図８】本発明を実施するための第２の形態の正面図。
【図９】図８の９−９線に沿う断面図。
【図１０】図8の１０−１０線に沿う断面図。
【図１１】本発明を実施するための第３の形態の正面図。
【図１２】図１１の１２−１２線に沿う断面図。
【図１３】本発明を実施するための第３の形態の要部拡大断面図。
【図１４】本発明を実施するための第4の形態の正面図。
【図１５】図１４の１５−１５線に沿う断面図。
【図１６】本発明を実施するための第4の形態の要部拡大断面図。
【発明を実施するための形態】
【００１２】
以下、図面に示す本発明を実施するための形態により、本発明を詳細に説明する。
【００１３】
図１ないし図７に示す本発明を実施するための第１の形態において、１は目地部２を介して建てられた左右の建物３、３の壁面３ａ、３ａ間の目地部を覆う本発明の壁用目地カバー装置で、この壁用目地カバー装置1は前記左右の建物３、３の一方の建物３の目地部側外壁躯体３ｂに一端部がほぼ水平に回動可能にヒンジ部材４で取付けられ、かつ目地部２が狭くなるとほぼ中央部のヒンジ部材４の枢支部４ａが前方へ突出するように折りたたみできる中央部がわずかに前方へ突出する先端部にローラー５が取付けられた目地カバー６と、この目地カバー６のほぼ中央部の先端部に一端部がヒンジ部材７で枢支され、他端部が前記一方の建物３の目地部側外壁面３ａにほぼ水平方向に位置するように固定されたガイドレール８に沿って移動可能に取付けられた支持アーム９と、この支持アーム９のほぼ中央部に一端部がヒンジ部材１０で枢支され、他端部が前記ガイドレール８の高さ寸法だけ突出したところで枢支される、前記目地カバー６の一端部が取付けられた部位近傍の外壁躯体３ｂに取付けられた支承アーム取付けヒンジ部材１１を介して設けられた支承アーム１２と、前記支持アーム９の他端部を前記目地カバー６がほぼ直線状態となるように付勢する付勢スプリング１３を介装したワイヤー１４で構成された支持アーム付勢機構１５と、前記支承アーム１２の他端部寄りの部位に一端部がヒンジ部材１６で枢支され、他端部が前記目地カバー６の躯体取付側の一方の目地カバー６ａのほぼ中央部に当接するストッパーアーム１７、このストッパーアーム１７を常時前記目地カバー６の一方の目地カバー６ａに当接させ、該目地カバー６の中央部をわずかに前方へ突出するように保持するワイヤーを用いたストッパー紐１８および、このストッパー紐１８を常時伸長するように付勢する一端部が前記ストッパーアーム１７に接続され、他端部が前記支持アーム９に取付けられたスプリング１９を介装したワイヤー２０を用いたストッパーアーム付勢機構２１とからなる目地カバー保持機構２２とで構成されている。
【００１４】
前記支持アーム９は図５に示すように棒状の支持アーム本体２３と、この支持アーム本体２３の一端部に取付けられた前記目地カバー６のほぼ中央部の先端部に取付けられるヒンジ部材７と、前記支持アーム本体２３の他端部に固定されたほぼ直角方向に突出するアーム２４と、このアーム２４の先端部に取付けられたガイドレール８に沿って移動するローラー２５とで構成されている。
【００１５】
前記支承アーム取付けヒンジ部材１１は、外壁躯体３ｂに固定される固定側ヒンジ部材１１ａは高さが前記ガイドレール８の高さ寸法とほぼ同じになるようにＬ字状に形成され、この固定側ヒンジ部材１１ａの先端部に枢支部２６を介して前記支承アーム１２に取付けられる可動側ヒンジ部材１１ｂが取付けられている。
【００１６】
上記構成の壁用目地カバー装置１は地震によって左右の建物３、３が、目地部２が狭くなるように揺れ動いた場合、図６に示すように目地カバー６の先端部が他方の建物３の外壁面３ａによって押し圧される。  
【００１７】
この押し圧によって、ほぼ中央部がわずかに前方へ突出している目地カバー６は中央部のヒンジ部材４の枢支部４ａが前方へ押し出され、折りたたまれる状態になるとともに、支持アーム９の他端部は支持アーム付勢機構１５の付勢スプリング１３の付勢力に抗して、ガイドレール８に沿って移動する。
【００１８】
なお、支持アーム９の移動は、該支持アーム９が一方の建物３の外壁面３ａとほぼ平行となる位置まで移動させることができる。この時、目地カバー保持機構２２のストッパーアーム１７は支承アーム１２に当接するように回動する。
【００１９】
地震によって目地部２が広くなるように左右の建物３、３が揺れ動いた場合、図７に示すように他方の建物３の外壁面３ａが目地カバー６の先端部のローラー５より離れた状態となって、その揺れ動きを吸収する。
【００２０】
なお、通常時には支持アーム付勢機構１５の付勢力によって目地カバー６は支承アーム１２に支承された支持アーム９の矢印方向の回動によって最大（中央部がわずかに前方へ突出した状態）に伸びた状態となるとともに、目地カバー保持機構２２のストッパーアーム１７によって保持されているため、目地カバー６に風圧が加わったとしても、目地カバー６が一直線の状態となるような曲げ力や中央部のヒンジ部材４を損傷させるような力が加わるのを防止することができる。
【００２１】
[発明を実施するための異なる形態]
次に、図８ないし図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図８ないし図１０に示す本発明を実施するための第２の形態において、前記本発明を実施するための第１の形態と主に異なる点は、目地カバー６の上部寄りの部位と下部寄りの部位とに２組の支持アーム９、９、ガイドレール８、８、支承アーム１２、１２、支持アーム付勢機構１５、１５および目地カバー保持機構２２、２２を設置して目地カバー６を支持した点で、このように構成した壁用目地カバー装置１Ａにしても、前記本発明を実施するための第１の形態と同様な作用効果が得られる。
【００２３】
なお、目地カバー６の高さ寸法に応じて、３組、４組等の複数組を設けて目地カバーを支持してもよい。
【００２４】
図１１ないし図１３に示す本発明を実施するための第３の形態において、前記本発明を実施するための第１の形態と主に異なる点は、中央部が当接した状態でわずかに前方へ突出した状態となるように当接面を傾斜面２７、２７に形成してヒンジ部材４で取付けた取付け手段２８を用いた目地カバー６Ａを用いるとともに、目地カバー６Ａの中央部が常時当接するように付勢するスプリング１９とワイヤー２０を用いた付勢機構２９を、一端部を支持アーム９に取付け、他端部を中央部寄りの一方の外壁躯体３ｂに取付けられ一方の目地カバー６ａに取付けた目地カバー保持機構２２Ａを用いた点で、このような目地カバー保持機構２２Ａを用いた壁用目地カバー装置１Ｂにしても、前記本発明を実施するための第１形態と同様な作用効果が得られる。
【００２５】
図１４ないし図１６に示す本発明を実施するための第４の形態において、前記本発明を実施するための第３の形態と主に異なる点は、接続部分の一方の端部に傾斜面３０が形成された支持金具３１を固定した取付け手段２８Ａを用いた目地カバー保持機構２２Ｂを用いた点で、このような目地カバー保持機構２２Ｂを用いて構成した壁用目地カバー装置１Ｃにしても、前記本発明を実施するための第３の形態と同様な作用効果が得られる。
【００２６】
なお、前記本発明の各実施の形態では左右の建物３、３の前部より内側に位置した所の壁面３ａ、３ａ間に目地カバー６、６Ａを配置したものに付いて説明したが、本発明はこれに限らず、左右の建物３、３の前部の壁面３ａ、３ａ間に目地カバーを位置させ目地部が狭くなると左右の建物３、３の前方へ突出するものであってもよい。
【産業上の利用可能性】
【００２７】
本発明は目地部を介して建てられた左右の建物の外壁間の目地部を覆う壁用目地カバー装置を製造する産業で利用される。
【符号の説明】
【００２８】
１、１Ａ、１Ｂ、１Ｃ：壁用目地カバー装置、
２：目地部、              ３：建物、
４：ヒンジ部材、          ５：ローラー、  
６、６Ａ：目地カバー、    ７：ヒンジ部材、
８：ガイドレール、        ９：支持アーム、
１０：ヒンジ部材、      
１１：支承アーム取付けヒンジ部材、
１２：支承アーム、        １３：付勢スプリング、
１４：ワイヤー、          １５：支持アーム付勢機構、
１６：ヒンジ部材、        １７：ストッパーアーム、
１８：ストッパー紐、      １９：スプリング、
２０：ワイヤー、          ２１：ストッパーアーム付勢機構、
２２、２２Ａ、２２Ｂ：目地カバー保持機構、
２３：支持アーム本体、    ２４：アーム、
２５：ローラー、          ２６：枢支部、
２７：傾斜面、            ２８、２８Ａ：取付け手段、
２９：付勢機構、          ３０：傾斜面、
３１：支持金具。
【図１】
2011017131.tif 000003
【図２】
2011017131.tif 000004
【図３】
2011017131.tif 000005
【図４】
2011017131.tif 000006
【図５】
2011017131.tif 000007
【図６】
2011017131.tif 000008
【図７】
2011017131.tif 000009
【図８】
2011017131.tif 000010
【図９】
2011017131.tif 000011
【図１０】
2011017131.tif 000012
【図１１】
2011017131.tif 000013
【図１２】
2011017131.tif 000014
【図１３】
2011017131.tif 000015
【図１４】
2011017131.tif 000016
【図１５】
2011017131.tif 000017
【図１６】
2011017131.tif 000018